(57)【要約】【課題】ロール製品を傷付けることなく、また、ロール製品を汚すことなく、ロール製品の出し入れが容易で、しかも効率的にロール製品の保管および輸送が可能なロール製品用コンテナを提供すること。【解決手段】パレット４と、パレット４の上に配置され、水平方向に位置するロール製品２０の両端部から飛び出ている支軸２２の下端を受ける受け溝３２が形成してある少なくとも一対の受け台３０と、受け台３０に対して着脱自在に装着され、前記受け溝３２の上に支軸２２が載せられた状態で、支軸２２を受け溝３２との間で保持する押さえ部材４０と、を有するロール製品用コンテナ。【選択図】    図２
2008297017.tif 000002
【特許請求の範囲】
【請求項１】
パレットと、
前記パレットの上に配置され、水平方向に位置するロール製品の両端部から飛び出ている支軸の下端を受ける受け溝、受け溝の両側に形成され前記支軸が前記受け溝に収まることを案内するガイド用傾斜部、及び、前記支軸が前記受け溝内に収容された状態で当該支軸の最上部と略一致する高さを持つ略水平な突き合わせ面が形成してある少なくとも一対の受け台と、
前記受け台の前記付き合わせ面に突き合わされる下面を有する略直方体形状の部材であって、前記受け台に対して着脱自在に装着され、前記受け溝の上に支軸が載せられた状態で、前記支軸を前記受け溝との間で保持する押さえ部材と、
を有するロール製品用コンテナ。
【請求項２】
前記パレットの上に着脱自在に装着され、前記受け台と押さえ部材とにより保持してあるロール製品を覆う上蓋が付いている側板をさらに有し、前記上蓋の四角部には、当該コンテナを積み重ねる際にコンテナ相互のズレを防止するためのズレ防止凸部が形成してある請求項１に記載のロール製品用コンテナ。
【請求項３】
前記押さえ部材の下面の前記支軸との当接部には、緩衝材が貼着してある請求項１または２に記載のロール製品用コンテナ。
【発明の詳細な説明】
【技術分野】
【０００１】
本発明は、ロール製品用コンテナに係り、さらに詳しくは、ロール製品の出し入れが容易で、しかも効率的にロール製品の保管および輸送が可能なロール製品用コンテナに関する。
【背景技術】
【０００２】
ロール製品を輸送するために適した組立式コンテナとして、たとえば特開平１１−１３００６２号公報に示すコンテナが知られている。このコンテナによれば、ロール製品は横向きに置かれ、コンテナの内部に懸架されるように収納してある。
【０００３】
しかしながら、この公報に示すコンテナでは、パレットの上に組立自在に装着してある側板の一部を利用して、ロール製品の支軸を保持するように構成してあるために、コンテナ内からロール製品を出し入れする際の作業性に問題があった。たとえばコンテナ内からロール製品を取り出す際には、ロール製品がコンテナの側板で保持してあることから、側板をパレットから取り外すことができない。このため、ロール製品の支軸両端部をベルトまたはロープにより保持して、ロール製品を上方に持ち上げる際に、ロール製品が側板に衝突してロール製品を傷付ける可能性がある。また、ベルトやロープを用いてロール製品を持ち上げる際には、ベルトやロープの摩損などによりゴミやホコリなどが発生し、それらがロール製品のコンタミネーションの原因となるおそれもある。このような問題点は、ロール製品をコンテナの内部に収容する作業においても同様である。
【発明の開示】
【発明が解決しようとする課題】
【０００４】
本発明の目的は、ロール製品を傷付けることなく、また、ロール製品を汚すことなく、ロール製品の出し入れが容易で、しかも効率的にロール製品の保管および輸送が可能なロール製品用コンテナを提供することである。
【課題を解決するための手段】
【０００５】
上記目的を達成するために、本発明に係るロール製品用コンテナは、
パレットと、
前記パレットの上に配置され、水平方向に位置するロール製品の両端部から飛び出ている支軸の下端を受ける受け溝、受け溝の両側に形成され前記支軸が前記受け溝に収まることを案内するガイド用傾斜部、及び、前記支軸が前記受け溝内に収容された状態で当該支軸の最上部と略一致する高さを持つ略水平な突き合わせ面が形成してある少なくとも一対の受け台と、
前記受け台の前記付き合わせ面に突き合わされる下面を有する略直方体形状の部材であって、前記受け台に対して着脱自在に装着され、前記受け溝の上に支軸が載せられた状態で、前記支軸を前記受け溝との間で保持する押さえ部材と、
を有する。
【０００６】
好ましくは、本発明に係るロール製品用コンテナは、前記パレットの上に着脱自在に装着され、前記受け台と押さえ部材とにより保持してあるロール製品を覆う上蓋が付いている側板をさらに有し、前記上蓋の四角部には、当該コンテナを積み重ねる際にコンテナ相互のズレを防止するためのズレ防止凸部が形成してある。
【０００７】
また、好ましくは、前記押さえ部材の下面の前記支軸との当接部には、ゴム材などの緩衝材が貼着してある。
また、前記受け台の受け溝にも、ゴム材などの緩衝材が装着してあることが好ましい。
【０００８】
好ましくは、前記パレットの上面で、前記一対の受け台が接近および離反移動自在に装着してある。
【０００９】
好ましくは、前記パレットの上には、複数対の受け台が配置してある。
本発明において、パレットとしては、特に限定されないが、フォークリフトの爪部が差し込み可能な凹部が形成してあるパレットが好ましい。なお、パレットとしては、移動用キャスター付きのパレットであっても良い。パレットおよび上蓋付き側板の材質としては、特に限定されず、木材、金属、プラスチック、あるいはこれらの複合材料が例示される。
【００１０】
前記上蓋の上面には、コンテナを積み重ねる際にコンテナ相互のズレを防止するためのズレ防止凸部が形成してあることが好ましい。
本発明のロール製品用コンテナがトラックなどに積み込まれて搬送される際には、ロール製品の軸芯方向がトラックの進行方向に対して略直交するように、コンテナを積み込むことが好ましい。
【００１１】
本発明において、ロール製品としては、特に限定されず、たとえば磁気テープ、液晶用フィルム、金属箔、各種フィルムシート、織物などが支軸の回りに巻回してあるものなどが例示される。支軸は、中実棒材あるいは中空パイプでも良く、その材質は、特に限定されず、金属でもプラスチックなどでも良い。支軸が中空パイプである場合には、支軸の両端部は、キャップにより閉塞してあっても良い。
【発明の効果】
【００１２】
本発明によれば、ロール製品を傷付けることなく、また、ロール製品を汚すことなく、ロール製品の出し入れが容易で、しかも効率的にロール製品の保管および輸送が可能なロール製品用コンテナを提供することができる。
【００１３】
本発明に係るロール製品用コンテナでは、ロール製品の支軸は、従来のように側板の一部で支持されるのではなく、パレット上の受け台により支持されるため、コンテナの側板を取り外した状態で、ロール製品の出し入れが可能である。そのため、ロール製品の出し入れ時にロール製品が側板に衝突することもなく、ロール製品に傷が付くことを有効に防止することができる。
【００１４】
また、側板をパレットから完全に取り外した状態となるので、ロール製品の支軸を電動フォークなどにより把持してロール製品の出し入れが可能になり、ロール製品の出し入れ作業が容易になる。また、ロープやベルトを用いないので、コンタミネーションが少なく、ロール製品を汚すおそれも少ない。
【００１５】
さらに、複数のロール製品を収容するコンテナを積み重ねることで、効率的なロール製品の保管および搬送が可能になる。
【発明を実施するための最良の形態】
【００１６】
以下、本発明を、図面に示す実施形態に基づき説明する。
図１に示すように、本実施形態に係るロール製品用コンテナ２は、パレット４を有する。パレット４は、たとえばステンレスなどの金属製棒材を組み合わせて構成してあり、フォークリフトの爪部が差し込まれる凹部６を有する。
【００１７】
このパレット４の上面には底板４ａが設置してあり、その上面には、パレット４の長手方向Ｘに沿って相互に向き合う二対の受け台３０が配置してある。パレット４の長手方向に沿って向き合う一対の受け台３０毎に、一つのロール製品２０（図２（Ｂ）参照）の両端部から飛び出ている支軸２２の両端部が保持される。すなわち、図１に示すコンテナ２では、二つのロール製品２０を収容することが可能である。受け台３０の詳細については後述する。
【００１８】
図１に示すように、パレット４の上には、上蓋８付きの側板１０ａおよび１０ｂが着脱自在に装着される。上蓋８付きの側板１０ａおよび１０ｂは、パレット４の上に配置されるロール製品２０の四方と上部とを覆うようになっている。上蓋８付きの側板１０ａおよび１０ｂにおいて、上蓋８と側板１０ａおよび１０ｂとは、予め組み立ててあるが、着脱自在な構成としても良い。
【００１９】
長手方向Ｘに細長い一対の側板１０ａには、その下端部に、側板止め金具１２が固定してある。側板止め金具１２は、パレット４に対して係合し、側板１０ａの下端部をパレット４に対して着脱自在に取り付ける。また、各側板１０ａの上端部には、一対の取っ手１４が固定してあり、上蓋８付き側板１０ａおよび１０ｂをパレット４から持ち上げ操作可能になっている。
【００２０】
上蓋８の四角部には、ズレ防止凸部１６が形成してある。ズレ防止凸部１６は、コンテナを積み重ねる際にコンテナ相互のズレを防止するためのものである。また、上蓋８の略中央部には、一対の覗き窓１８が形成してあり、コンテナの内部を観察可能になっている。覗き窓１８は、たとえば透明ガラスまたは透明プラスチックにより構成してある。
【００２１】
図１、図２（Ａ）および図２（Ｂ）に示すように、パレット４の長手方向Ｘの両側に位置する各一対の受け台３０は、スライドバー３１の上に固定してある。スライドバー３１の両端部は、移動案内用金具３３に係合している。固定用ボルト３５によりスライドバー３１がパレット４に対して固定されていない状態では、スライドバー３１は、移動案内用金具３３に沿って、パレット４の長手方向Ｘに沿って移動可能になっている。
【００２２】
すなわち、パレット４の長手方向に沿って相互に向き合う受け台３０は、スライドバー３１の移動により、接近および離反移動自在になっている。スライドバー３１の移動量は、受け台３０により保持されるロール製品の軸方向長さに合わせて調節され、ロール製品の軸方向長さに合わせた適切な位置で、スライドバー３１は、ボルト３５によりパレット４に対して固定される。
【００２３】
なお、スライドバー３１の移動量を制限するために、図２（Ｂ）に示すように、パレット４の上面には、ストッパ用金具３５が固定してある。このストッパ用金具３５は、移動案内用金具３３と一体に成形しても良い。
【００２４】
図２（Ａ）に示すように、各受け台３０の上部には、支軸２２の半径に合わせた半円形状の受け溝３２が形成してあり、その受け溝３２の両側には、ガイド用傾斜部３７と、略水平な突き合わせ面３９とが形成してある。ガイド用傾斜部３７は、支軸２２が受け溝３２内に収まることを案内するための傾斜部である。また、突き合わせ面３９は、押さえ部材４０の下面に突き合わされる部分であり、支軸２２が受け溝３２内に収容された状態で、支軸２２の最上部と略一致する高さを持つ。受け溝３２およびガイド用傾斜部３７には、緩衝材３４が貼着してある。緩衝材３４を構成する材料はとくに限定されないが、例えば、ゴム、熱可塑性樹脂、フェルト等が挙げられる。
【００２５】
押さえ部材４０の下面において、支軸２２との当接部には、緩衝材３４と同様な材料で構成してある緩衝材４２が貼着してある。各押さえ部材４０を、各受け台３０の上部に着脱自在に装着するために、押さえ部材４０には、受け台３０に形成してある嵌合孔３６に嵌合自在な連結ロッド４４と、フック部４６とが固定してある。フック部４６には、受け台３０に固定してある止め金具３８が着脱自在に係合可能になっている。
【００２６】
また、図２（Ｂ）に示すように、押さえ部材４０には、ロール製品２０が軸方向に移動することを防止するためのロール移動防止ストッパ４８が形成してある。ストッパ４８のロール製品側面には、ゴム材などで構成してある緩衝材が貼着してある。緩衝材は、押さえ部材４０の下面において、受け台３０の突き合わせ面３９との突き合わせ面部分にも貼着しても良い。その緩衝材の厚みは、支軸２２に直接に接触する緩衝材４２よりも薄いことが好ましい。
【００２７】
本実施形態に係るコンテナ２では、ロール製品２０の支軸は、従来のように側板の一部で支持されるのではなく、パレット４上の受け台３０により支持されるため、コンテナ２の側板１０ａおよび１０ｂを取り外した状態で、ロール製品２０の出し入れが可能である。そのため、ロール製品２０の出し入れ時にロール製品２０が側板１０ａおよび１０ｂに衝突することもなく、ロール製品２０に傷が付くことを有効に防止することができる。
【００２８】
また、側板１０ａおよび１０ｂをパレット２から完全に取り外した状態となるので、ロール製品２０の支軸２２を電動フォークなどにより把持してロール製品２０の出し入れが可能になり、ロール製品２０の出し入れ作業が容易になる。また、ロープやベルトを用いないので、コンタミネーションが少なく、ロール製品２０を汚すおそれも少ない。
【００２９】
さらに、複数のロール製品２０を収容するコンテナ２を積み重ねることで、効率的なロール製品の保管および搬送が可能になる。
さらにまた、相互に向かい合う受け台３０がパレット４の長手方向Ｘ（ロール製品２０の軸方向に一致する）に沿って移動可能であるために、種々のサイズのロール製品２０をコンテナ２の内部に収容可能である。
【００３０】
なお、本発明は、上述した実施形態に限定されるものではなく、本発明の範囲内で種々に改変することができる。
【図面の簡単な説明】
【００３１】
【図１】図１は本発明の１実施形態に係るロール製品用コンテナの分解斜視図である。
【図２】図２（Ａ）および図２（Ｂ）は図１に示すコンテナにおける受け台の詳細を示す概略図である。
【符号の説明】
【００３２】
２…  コンテナ
４…  パレット
８…  上蓋
１０ａ，１０ｂ…  側板
１６…  ズレ防止凸部
２０…  ロール製品
２２…  支軸
３０…  受け台
３２…  受け溝
３３…  移動案内用金具
３４，４２…  緩衝材
４０…  押さえ部材
【図１】
2008297017.tif 000003
【図２】
2008297017.tif 000004